(57)【要約】  【課題】  従来の冷蔵室の前面開口部に下方へ向かう冷気カーテンは、冷蔵室の下側部分で冷蔵室内と庫外とを効果的に遮断し得る十分に強い冷気カーテンを形成することは困難であった。本発明では、冷気吹き出し口に冷気カーテン用送風機を設置して、冷蔵室の前面開口部に強い冷気カーテンを形成するが、この場合、冷気カーテン用送風機の運転による外気の遮断効果と共に、外気の巻き込みによる冷蔵室内の温度上昇を制限し、また庫内の冷却の効果的な冷気カーテン用送風機の運転を達成するものである。  【解決手段】  冷気吹き出し口にクロスフローファンを設置して、冷蔵室の前面開口部に冷気カーテンを形成し、冷蔵室扉が開いたとき及び冷蔵室扉が閉じたときに所定時間クロスフローファンを運転するものである。【選択図】  図２
2005076981.tif 000002
【特許請求の範囲】
【請求項１】
冷却器で冷却され送風機により循環される冷気が冷蔵室の背面部に設けられた冷気吹出
口から冷蔵室に循環供給される家庭用冷蔵庫において、前記冷蔵室の上面部には前記送風
機により供給される冷気を前記冷蔵室の前面開口部に形成された冷気吹出口へ供給する冷
気ダクトが設けられ、前記冷気吹出口には、前記冷蔵室の前面開口部に沿って冷気を下方
に吹き出すようにクロスフローファンが設けられ、このクロスフローファンは、前記冷蔵
室の前面開口部を開閉する扉が開いたとき及び閉じたときに所定時間運転されることを特
徴とする冷蔵庫。
【請求項２】
冷却器で冷却され送風機により循環される冷気が冷蔵室の背面部に設けられた冷気吹出
口から冷蔵室に循環供給される家庭用冷蔵庫において、前記冷気が通過する複数の通過孔
を形成し紫外線によって冷気中の臭い分子を分解して消臭する光触媒を有するフィルタが
紫外線を照射するランプに対向配置された脱臭装置を備え、前記冷蔵室の上面部には前記
送風機により供給される冷気を前記冷蔵室の前面開口部に形成された冷気吹出口へ供給す
る冷気ダクトが設けられ、前記冷気吹出口には、前記冷蔵室の前面開口部に沿って冷気を
下方に吹き出すようにクロスフローファンが設けられ、このクロスフローファンは、前記
ランプの点灯中に、前記冷蔵室の前面開口部を開閉する扉が開いたとき及び閉じたときに
所定時間運転されることを特徴とする冷蔵庫。
【請求項３】
前記クロスフローファンは、冷蔵庫の周囲温度が高いときには高い回転速度で運転され
るように制御されることを特徴とする請求項１または２に記載の冷蔵庫。
【請求項４】
冷却器で冷却され送風機により循環される冷気が冷蔵室の背面部に設けられた冷気吹出
口から冷蔵室に循環供給される家庭用冷蔵庫において、前記冷気が通過する複数の通過孔
を形成し紫外線によって冷気中の臭い分子を分解して消臭する光触媒を有するフィルタが
紫外線を照射するランプに対向配置された脱臭装置を備え、前記冷蔵室の上面部には前記
送風機により供給される冷気を前記冷蔵室の前面開口部に形成された冷気吹出口へ供給す
る冷気ダクトが設けられ、前記冷気吹出口には前記冷蔵室の前面開口部に下方へ流れる冷
気カーテンを形成するクロスフローファンが設けられ、任意に前記脱臭装置の作用による
脱臭モードとするスイッチを設け、このスイッチのＯＮによって、前記ランプの点灯と前
記クロスフローファンの運転状態（運転モード）を所定時間継続して終了することを特徴
とする冷蔵庫。
【発明の詳細な説明】
【技術分野】
【０００１】
本発明は、主に家庭などにおいて使用される冷蔵庫（冷凍冷蔵庫を含む。）に関するも
のである。
【背景技術】
【０００２】
この種の冷蔵庫においては、送風機により循環される冷気が冷蔵室の背面部に設けられ
た冷気吹き出し口から冷蔵室に循環供給される家庭用冷蔵庫において、冷蔵室の上面部に
は前記送風機により供給される冷気を冷蔵室の前面開口部に形成された冷気吹き出し口へ
供給する冷気ダクトが設けられ、この冷気吹き出し口から吹き出す冷気によって、冷蔵室
の前面開口部に下方に流れる冷気カーテンを形成したものがある（例えば、特許文献１参
照）。
【０００３】
しかし、上記構成の冷蔵庫においては、送風機によって循環する冷気の一部が、冷蔵室
の上面前部に設けた多数の小さなハニカム状等の冷気吹き出し口から吹き出して冷気カー
テンを形成し、冷気の残部は、冷蔵室の背面側に設けた冷気吹き出し口から冷蔵室内に吹
出して冷蔵室を冷却するように構成されていたので、冷蔵室の上面前部の冷気吹き出し口
から冷気を吹出す力は必ずしも強いものではなかった。
【特許文献１】特開２００２‐９８４６４号公報（図２）
【発明の開示】
【発明が解決しようとする課題】
【０００４】
このように、上記従来技術の冷蔵庫においては、冷蔵室の下側部分で冷蔵室内と庫外と
を効果的に遮断し得る十分に強い冷気カーテンを形成することは困難であったので、冷蔵
室の前面開口部に外気を遮断できる強い冷気カーテンを形成することが課題でもある。本
発明では、この課題解決のために冷気吹き出し口に冷気カーテン用送風機を設置して、冷
蔵室の前面開口部に強い冷気カーテンを形成するが、この場合、冷気カーテン用送風機の
運転による外気の遮断効果と共に、外気の巻き込みによる冷蔵室内の温度上昇を制限し、
また庫内の冷却の効果的な冷気カーテン用送風機の運転を達成するものである。
【課題を解決するための手段】
【０００５】
第１の発明は、冷却器で冷却され送風機により循環される冷気が冷蔵室の背面部に設け
られた冷気吹出口から冷蔵室に循環供給される家庭用冷蔵庫において、前記冷蔵室の上面
部には前記送風機により供給される冷気を前記冷蔵室の前面開口部に形成された冷気吹出
口へ供給する冷気ダクトが設けられ、前記冷気吹出口には、前記冷蔵室の前面開口部に沿
って冷気を下方に吹き出すようにクロスフローファンを設け、このクロスフローファンを
前記冷蔵室の前面開口部を開閉する扉が開いたとき及び閉じたときに所定時間運転される
ものである。
【０００６】
また第２の発明は、冷却器で冷却され送風機により循環される冷気が冷蔵室の背面部に
設けられた冷気吹出口から冷蔵室に循環供給される家庭用冷蔵庫において、前記冷気が通
過する複数の通過孔を形成し紫外線によって冷気中の臭い分子を分解して消臭する光触媒
を有するフィルタが紫外線を照射するランプに対向配置された脱臭装置を備え、前記冷蔵
室の上面部には前記送風機により供給される冷気を前記冷蔵室の前面開口部に形成された
冷気吹出口へ供給する冷気ダクトが設けられ、前記冷気吹出口には、前記冷蔵室の前面開
口部に沿って冷気を下方に吹き出すようにクロスフローファンを設け、このクロスフロー
ファンを前記ランプの点灯中に、前記冷蔵室の前面開口部を開閉する扉が開いたとき及び
閉じたときに所定時間運転するものである。
【０００７】
更に第３の発明は、前記クロスフローファンを冷蔵庫の周囲温度が高いときには高い回
転速度で運転されるように制御するものである。
【０００８】
更に、第４の発明は、冷却器で冷却され送風機により循環される冷気が冷蔵室の背面部
に設けられた冷気吹出口から冷蔵室に循環供給される家庭用冷蔵庫において、前記冷気が
通過する複数の通過孔を形成し紫外線によって冷気中の臭い分子を分解して消臭する光触
媒を有するフィルタが紫外線を照射するランプに対向配置された脱臭装置を備え、前記冷
蔵室の上面部には前記送風機により供給される冷気を前記冷蔵室の前面開口部に形成され
た冷気吹出口へ供給する冷気ダクトが設けられ、前記冷気吹出口には前記冷蔵室の前面開
口部に下方へ流れる冷気カーテンを形成するクロスフローファンが設けられ、任意に前記
脱臭装置の作用による脱臭モードとするスイッチを設け、このスイッチのＯＮによって、
前記ランプの点灯と前記クロスフローファンの運転状態（運転モード）を所定時間継続し
て終了するものである。
【発明の効果】
【０００９】
第１の発明によって、冷気吹き出し口にクロスフローファンを設置して、冷蔵室の前面
開口部に強い冷気カーテンを形成するが、この場合、クロスフローファンの運転による外
気の遮断効果と共に、冷蔵室扉が開いたときには外気の巻き込みによる冷蔵室内の温度上
昇を制限し、冷蔵室扉が閉じたときには冷蔵室の前面開口部と冷蔵室扉内側の貯蔵棚上の
物品を速やかに冷却することができるクロスフローファンの運転を達成できる。
【００１０】
第２の発明によって、クロスフローファンによって冷蔵室の前面開口部に強い冷気カー
テンを形成するが、この場合、脱臭装置の動作中に冷蔵室扉が開いたときには、クロスフ
ローファンの運転による外気の遮断効果と共に、外気の巻き込みによる冷蔵室内の温度上
昇を制限し、冷蔵室扉が閉じたときには冷蔵室の前面開口部と冷蔵室扉内側の貯蔵棚上の
物品を速やかに冷却すると共に、脱臭機能を発揮させて冷気に消臭を行えるようなクロス
フローファンの運転を達成できる。
【００１１】
第３の発明によって、冷蔵庫の周囲温度が高くなるほどにクロスフローファンの回転速
度を上げることによって、冷蔵室の前面開口部に強い均一な冷気カーテンを形成して、冷
蔵室扉が開いた状態での外気の侵入を抑制して冷蔵室の温度上昇を少なくする。また、冷
蔵室扉を閉じたときには、冷気循環用送風機の運転と相俟って冷蔵室内の冷気循環量を多
くして速やかに冷蔵室扉内側の貯蔵棚上の物品を冷却すると共に、冷蔵室の前面開口部の
冷却促進を行うことができる。
【００１２】
第４の発明によって、任意に脱臭を行うことができるため、冷蔵庫の使用者の気に入る
状態に脱臭機能を作用させることができる。
【発明を実施するための最良の形態】
【００１３】
本発明は、冷気吹き出し口にクロスフローファンを設置して、冷蔵室の前面開口部に冷
気カーテンを形成し、冷蔵室扉が開いたとき及び冷蔵室扉が閉じたときに所定時間クロス
フローファンを運転する場合、冷蔵庫の周囲温度によって回転速度を変えること。
【実施例１】
【００１４】
次に、本発明の実施の形態について説明する。図１は本発明冷蔵庫の正面図、図２は本
発明冷蔵庫の縦断側面図、図３は本発明の冷蔵庫本体を正面から見た説明図、図４は本発
明冷蔵庫のダクト構成部分の分解斜視図、図５は本発明冷蔵庫の冷蔵室上部の冷気循環説
明図、図６は本発明冷蔵庫の冷凍サイクル図である。
【００１５】
本発明は冷凍庫、冷蔵庫、冷凍冷蔵庫等の冷却貯蔵庫に関し、その一つである冷蔵庫に
基づき本発明を説明する。ここで、１は本発明の冷却貯蔵庫の一つである冷蔵庫であり、
全面開口の本体２内を区画して複数の貯蔵室を形成し、これら各貯蔵室の前面は扉で開閉
できる構成である。冷蔵庫本体２は、外箱（外壁板）２Ａと内箱（内壁板）２Ｂとの間に
発泡断熱材２Ｃを充填した断熱構造である。冷蔵庫本体２内には、上から冷蔵室３、野菜
室４、上冷凍室５と製氷室７、下冷凍室６が区画されて設けられ、冷蔵室３内底部にはそ
の上方の冷蔵室３と区画板（区画壁）８にて区画された特定低温室９が設けられている。
上冷凍室５は冷気量調節装置を手動操作して冷蔵室とすることもできるので、切り換え室
と称することもできる。
【００１６】
冷蔵室３の前面開口は、冷蔵庫本体２の一側部にヒンジ装置にて横方向に回動する回動
式の冷蔵室扉１０にて開閉される。野菜室４の前面開口は、野菜室４内に設けた左右のレ
ール又はローラ装置２１によって前後方向へ引き出し可能に支持した野菜容器１５と共に
前方へ引き出される引き出し式扉１１にて閉塞されている。上冷凍室５と下冷凍室６はそ
れぞれ野菜室４と同様に、冷凍室内に設けた左右のレールに対して、それぞれ前後方向へ
引き出し可能に支持した容器１６、１７と共に前方へ引き出される引き出し式扉１２、１
３にて閉塞されている。
【００１７】
製氷室７内には、上部に自動製氷機１８を設けその下部に貯氷容器１９を配置している
。貯氷容器１９は、野菜室４と同様に、製氷室７内の左右壁に設けた左右のレールに対し
てそれぞれ前後方向へ引き出し可能に支持されており、製氷室７の前面開口を開閉する引
き出し式扉１４と共に前方へ引き出される仕組みである。２０は自動製氷機１８へ供給す
る製氷用水を貯める給水容器であり、冷蔵室３内において特定低温室９の横に形成した小
室に配置されており、冷蔵室３の前面扉１０を開いて前方へ取り出し自在である。製氷用
水は給水容器２０からポンプによって吸い上げられて給水パイプを介して自動製氷機１８
の製氷皿２２へ供給される。
【００１８】
２４は冷凍システムの冷媒の圧縮機、２５は冷凍システムの冷媒の凝縮器である。２６
は凝縮器２５の熱によって後述の除霜水を蒸発させるための蒸発皿であり、凝縮器２５上
に載置して冷蔵庫本体２の前面下部から引き出し自在である。圧縮機２４、凝縮器２５、
蒸発皿２６は、冷蔵庫本体２の下部に設けた機械室２８に設置されている。２９、３０は
冷凍システムの冷媒の蒸発器（冷却器）である。３１は第１蒸発器（冷却器）２９で冷却
した冷気を上冷凍室５、下冷凍室６及び製氷室７へ循環する第１送風機、３２は第２蒸発
器（冷却器）３０で冷却した冷気を冷蔵室３、野菜室４及び特定低温室９へ循環する第２
送風機である。３３は第１蒸発器（冷却器）２９の除霜用ガラス管ヒータ、３４は、第２
蒸発器（冷却器）３０の除霜用ガラス管ヒータである。第１蒸発器（冷却器）２９の除霜
水は排水管を通って蒸発皿２６へ導かれてそこで蒸発する。また第２蒸発器（冷却器）３
０の除霜水は下方の露受け部４７で受けられて排水管４８を通って蒸発皿２６へ導かれて
そこで蒸発する。３５は第２蒸発器（冷却器）３０で冷却された冷気が第２送風機３２か
ら導かれる上面側冷気ダクトであり、冷蔵室３の上面部に幅広く形成されるように冷蔵室
３の上壁に幅広く配置され、その前端は冷蔵室３の前面開口部の上面部において冷蔵室３
の前面開口部の横幅に渡って形成された冷気吹き出し口３６へ連通している。この冷気吹
き出し口３６から吹き出す冷気は、後述のように冷蔵室３の前面開口部を矢印のように上
から下へ流れる冷気カーテン３７を形成する。第１蒸発器（冷却器）２９で冷却した冷気
と第２蒸発器（冷却器）３０で冷却した冷気は、夫々第１送風機３１及び第２送風機３２
によって矢印のように循環して各室を所定温度に冷却する。
【００１９】
第２蒸発器（冷却器）３０で冷却した冷気を第２送風機３２によって冷蔵室３と野菜室
４とに循環させる冷気循環経路の形成に関し、冷蔵室３の背面部には図４に示すダクト構
成を設けている。これにおいて、４０は冷蔵室３の背面板、４１は冷気通路部材である第
１ダクト部材、４２は冷気通路部材である第２ダクト部材である。第２ダクト部材４２は
発泡スチロールにて成形されていて、背面板４０の裏側に形成した左右一対のリブ間に嵌
り合って保持されている。背面板４０、第１ダクト部材４１及び第２ダクト部材４２は冷
気通路部材を構成し、これらの組み合わせによって、第１ダクト部材４１の左右部分４１
Ａと第２ダクト部材４２の左右部分４２Ａとの間には、冷蔵室３の背面板４０の裏側に左
右に位置する冷気通路４３Ａ、４３Ｂが形成される。４４は冷蔵室３の天井板４５の上面
に配置されて天井板４５と共に冷気ダクト３５を形成する冷気通路部材としてのダクト部
材である。
【００２０】
第２蒸発器（冷却器）３０で冷却した冷気Ｋは、第２送風機３２によって冷蔵室３と野
菜室４とに循環される。その経路は、第２送風機３２を通過した冷気Ｋは、一部が前方の
供給口４６から冷気ダクト３５を通って冷気吹き出し口３６から吹き出す。また第２送風
機３２を通過した冷気Ｋの他の部分は、冷蔵室３の背面板４０の裏側の左右の冷気通路４
３Ａ、４３Ｂを通って、冷蔵室３の背面板４０に形成した背面側の冷気吹き出し口３９か
ら冷蔵室３へ吹き出し、冷気通路４３Ａ、４３Ｂを更に下方へ流れつつ一部分の冷気が冷
気吹き出し口３９Ａから特定低温室９へ吹き出す。
【００２１】
左右の冷気通路４３Ａ、４３Ｂを更に下方へ流れた冷気は、冷気出口５０から冷蔵室３
と野菜室４との間に形成した冷気通路５１へ供給される。冷気通路５１は、冷蔵室３と野
菜室４との間の仕切り板５２と野菜室４の天井板５３との間に形成される。仕切り板５２
は冷蔵室３の底壁を構成している。野菜室４の天井板５３は、野菜容器１５の上面開口を
略塞ぐ位置に配置されており、野菜室４の前方へ取り外し可能に野菜室４の左右壁等に支
持している。また、冷蔵室３の冷気は、仕切り板５２に形成した冷気出口５６から冷気通
路５１へ流れる。
【００２２】
冷気通路５１へ供給された冷気は、冷気通路５１の前端の出口５４から野菜室４へ流下
し、野菜容器１５と扉１１との間に形成された空間から野菜容器１５の周囲に形成された
空間を通って、野菜室４の背面に形成した冷気吸い込み口５５から吸い込まれる。
【００２３】
冷蔵室３の裏側の左右冷気通路４３Ａ、４３Ｂの間には、背面板４０と本体２との間に
冷気帰還の冷気通路５７が形成されている。冷気吸い込み口５５から吸い込まれた冷気Ｋ
は、冷気通路５７へ流れて第２蒸発器（冷却器）３０の下側へ流入し、再び第２蒸発器（
冷却器）３０によって冷却されて上記の循環を行う。
【００２４】
７６は第１蒸発器（冷却器）２９流入する冷媒の減圧装置としてのキャピラリチューブ
、７７は第２蒸発器（冷却器）３０へ流入する冷媒の減圧装置としてのキャピラリチュー
ブである。７８は冷媒の流れを第１蒸発器（冷却器）２９側と第２蒸発器（冷却器）３０
側とに切り換える冷媒流路切換装置としての冷媒流路切換弁であり、通電によって弁部材
が作動して冷媒通路が第１蒸発器（冷却器）２９側と第２蒸発器（冷却器）３０側とに切
り替わる動作の三方弁である。この切換弁の形態は電磁弁タイプ、電動機で作動する電動
弁タイプの何れであってもよい。
【００２５】
以下に述べる各種の制御は、冷蔵庫に設けた制御部によって行われる。先ず、冷却運転
サイクルについて記載する。冷凍室（冷凍室５、６又は製氷室７）と冷蔵室３は所定の下
限温度まで冷却されていない状態では、圧縮機２４、送風機３１及び送風機３２が運転（
ＯＮ）され、冷媒流路切換装置７８によって冷媒通路７９Ｂが閉じ冷媒通路７９Ａが開い
て、冷媒はキャピラリチューブ７７で減圧されて冷却器３０から冷却器２９に流れて圧縮
機２４へ帰還する。この運転によって冷蔵室３が所定の下限温度に低下すると、冷蔵室用
温度感知装置の温度感知に基づいて冷媒流路切換装置７８が動作して冷媒通路７９Ａを閉
じて冷却器３０への冷媒の供給を停止し、冷媒は冷却器３０をバイパスして冷媒通路７９
Ｂからキャピラリチューブ７６で減圧されて冷却器２９へ流れて圧縮機２４へ帰還する循
環となる。そして、冷凍室（冷凍室５、６又は製氷室７）が所定の下限温度に冷却される
と、冷凍室用温度感知装置の温度感知に基づいて冷媒流路切換装置７８が動作して冷媒通
路７９Ｂを閉じて圧縮機２４と送風機３１を停止（ＯＦＦ）する。
【００２６】
圧縮機２４と送風機３１が再び運転（ＯＮ）するのは、前記冷凍室用温度感知装置と冷
蔵室用温度感知装置の何れか又は双方が所定の上限温度を感知したときである。冷凍室用
温度感知装置が先に所定の上限温度を感知すると、冷媒流路切換装置７８が動作して冷媒
通路７９Ａを閉じると共に冷媒通路７９Ｂを開いて、冷却器２９へ冷媒を流して冷凍室（
冷凍室５、６、製氷室７）の冷却が促進される。また冷蔵室用温度感知装置が先に所定の
上限温度を感知すると、冷媒流路切換装置７８が動作して冷媒通路７９Ａを開いて冷却器
２９から冷却器３０へ冷媒を流して冷凍室（冷凍室５、６、製氷室７）と冷蔵室３の冷却
が促進される。
【００２７】
このような制御によって、冷凍室（冷凍室５、６、製氷室７）の温度範囲は、例えば平
均温度が―２０℃になるように下限温度−１８℃〜上限温度−２２℃に制御され、冷蔵室
３は例えば、平均温度が３℃になるように下限温度１．８℃〜上限温度４．２℃に制御さ
れる。このような運転において、野菜室４は冷気通路５１を通って流入する冷気によって
４℃〜６℃の範囲に冷却される。また、冷蔵室扉１０の内側に設けた貯蔵棚３８上は５〜
８℃である。特定低温室９は、０℃よりも高い約１℃のチルド室であったり、０℃よりも
低く食品の凍結温度よりも高い約０〜−１℃の氷温室であったり、また、食品の表面に薄
い氷の層が形成される程度の約−３℃の部分凍結室であったりする。このように特定低温
室９は、食品を特定の温度領域内で冷却保存するためのものであり、他の室に比して厳し
い温度制御が要求される。
【００２８】
６０は冷気通路５７の帰還冷気が通過する複数の通過孔６１を形成したフィルタであり
、冷気通路５７を横切るように冷気通路５７の横幅方向に長く延びた板状をなす。背面板
４０は後方へ屈曲した段部６２を形成しており、この段部６２によって、帰還冷気が通過
する冷気通路５７は前方へ屈曲した状態となる。フィルタ６０は、この段部６２より上部
の背面板４０と略並列状態になるように、この段部６２上に略垂直状態に立った状態で取
り付けられ、冷気通路５７の帰還冷気が前後方向に通過するように冷気通路５７の帰還冷
気と交差する態勢となる。フィルタ６０は粉末状活性炭が含まれた基材によって複数の通
過孔６１が存するハニカム状又はコルゲート状に成形されている。図４の形態では、フィ
ルタ６０は、冷気通路５７の帰還冷気が前後方向に通過するように縦方向に配置され、冷
気通路５７を流れる帰還冷気が矢印のようにスムースに流れるように、通過孔６１は冷気
通路５７に沿うように斜め上方に向いた状態である。
【００２９】
６３はフィルタ６０へ紫外線を照射するランプであり、冷蔵室３側に位置してフィルタ
６０と対向配置されるように背面板４０を貫通した状態に取り付けられている。フィルタ
６０へは紫外線を照射するが冷蔵室３へは紫外線を照射しないようにするために、ランプ
６３のフィルタ６０側の面は石英ガラスで形成され、ランプ６３の冷蔵室３側の面は通常
のガラスであるソーダガラスで形成され、この内面には蛍光体が塗布されている。このた
め、ランプ６３の冷蔵室３側の面からは有害な紫外線が照射されないように遮断されると
共に、冷蔵室３側には可視光が通過する。冷蔵室３に露出したランプ６３の面には、淡い
青色などの着色を施すことによって、冷蔵室３の前面扉１０を開いたとき、その着色光に
よってランプ６３が点灯していることを確認できると共に、冷蔵室３内の装飾にもなる。
【００３０】
このように、フィルタ６０とランプ６３によって構成された脱臭装置において、本発明
では、フィルタ６０のランプ６３との対面側である表側には、ランプ６３からの紫外線に
よって冷気通路５７を流れる帰還冷気中のメチルメルカプタンを分解して消臭する光触媒
が存在し、フィルタ６０のランプ６３との対面側の反対側、即ちフィルタ６０の裏側には
、ランプ６３からの紫外線を受けなくても冷気中のアンモニア臭を消臭する消臭剤が存在
する構成である。
【００３１】
その一つとして、前記光触媒は酸化チタンであり、前記消臭剤はアスコルビン酸、クエ
ン酸の少なくともいずれかである。このため、紫外線が当たるフィルタ６０の表側では酸
化チタンが有効に作用して、玉葱や腐敗した魚の臭いなどのような悪臭となるメチルメル
カプタンを分解して消臭し、一方のアスコルビン酸又はクエン酸によってアンモニア臭を
消臭できるため、冷却貯蔵庫１内の複数の臭いに対してフィルタ６０の両面を有効に消臭
作用面として利用できるものとなる。
【００３２】
冷気吹き出し口３６には、下向き案内部３６Ａと、冷気ダクト３５の後方から供給され
る冷気Ｋを加速して吹き出すクロスフローファン（横流ファン）８０が設けられている。
クロスフローファン（横流ファン）８０は、複数の同じ方向に湾曲した横方向に長い板状
羽が円形に配置された中空形状の構成である。この構成によって、送風機３２から冷気ダ
クト３５内を前方へ向けて略水平方向に供給される冷気Ｋは、冷蔵室３の前面開口部に沿
って下方に向けて略垂直方向に流れるように偏向されて、冷蔵室３の前面開口部を矢印の
ように上から下へ流れる冷気カーテン３７を形成する。クロスフローファン（横流ファン
）８０から送出される冷気の速度は、０．８〜１．５ｍ／秒程度の風速で吹き出し可能に
構成されている。
【００３３】
また、冷気ダクト３５には、冷蔵室３の前面開口部が扉１０によって閉じられていると
きには冷気ダクト３５を閉じ、冷蔵室３の前面開口部が扉１０によって開放されていると
きには冷気ダクト３５を開放するように動作するダンパー装置８１が設けられている。ダ
ンパー装置８１は、扉１０の開閉に伴って図示しない駆動モータが作動してダンパー部材
８１Ａが冷気ダクト３５を開閉する仕組みである。
【００３４】
冷蔵庫１において、扉１０が操作され、冷蔵室３の前面開口部が開放されたときには、
ダンパー装置８１が動作して冷気ダクト３５が開放され、クロスフローファン８０が起動
して、冷却器３０により所定の温度に冷却された冷気Ｋが送風機３２により搬送されて冷
気ダクト３５を前方へ向けて流れ、クロスフローファン８０により下方に吹き出されて、
冷蔵室３の前面開口部に冷気カーテン３７が形成されるようになっている。
【００３５】
しかも、冷気ダクト３５を前方へ向けて略水平に流れる流れを略直角方向に変えて吹き
出す機能を持つクロスフローファン８０は、図に示したように冷蔵室３の前面開口部の幅
一杯に下向き案内部３６Ａと共に設けられているので、冷蔵室３の幅方向に一様な強さで
冷気の冷気カーテン３７が形成される。換言すれば、冷蔵室３の前面開口部に形成される
冷気カーテン３７は、幅方向に一様な強さに形成されるので、冷蔵室３内の冷気を閉じ込
めておく作用に優れたものである。
【００３６】
クロスフローファン８０は、扉１０を開いたとき所定時間運転され、扉１０を閉じたと
き所定時間運転されるように構成されている。扉１０を開いたときは、クロスフローファ
ン８０の運転によって、冷気カーテン３７が冷蔵室３内への外気の侵入を抑制するように
作用する。しかし、冷気カーテン３７は外気を巻き込みつつ流れるため、あまり長い時間
に渡って扉１０が開いている場合は、外気の侵入も伴って冷却器３０の温度が上昇して冷
気カーテン３７の温度も上昇し、冷えた冷気カーテン３７を形成できない。このため、あ
まり長い時間に渡って扉１０が開いている状態でクロスフローファン８０を連続運転すれ
ば、このような空気循環の継続によって冷蔵室３の温度上昇が大きくなる。これらの点を
考慮して、冷蔵庫の通常の使用形態では、扉１０が長く開かれる時間は１分前後であろう
ことを想定して、扉１０を開いたときクロスフローファン８０を６５秒間運転するように
構成している。これは６０秒でも差し支えなく、数十秒であれば所期の目的は達成できる
。冷気カーテン３７の形成を良好にするために、クロスフローファン８０の運転中は送風
機３２が運転され、ダンパー部材８１Ａが冷気ダクト３５の冷気通路を開くように動作し
ている。
【００３７】
また、クロスフローファン８０が扉１０を閉じたとき所定時間運転されるように構成さ
れているのは、扉１０が開いて冷蔵室３の温度は若干上昇するが、特に扉１０の内側に設
けた貯蔵棚３８は、扉１０が開いた状態で外気に晒され、貯蔵棚３８上の物品の温度も上
昇する。このため、扉１０を閉じたときには速やかに貯蔵棚３８上の物品を冷却するよう
にするために、扉１０を閉じたときからクロスフローファン８０を所定時間運転する。実
施例では６０秒間運転されるように設定している。これはその前後に時間であってもよく
、数十秒であれば所期の目的は達成できる。冷気カーテン３７の形成を良好にするために
、クロスフローファン８０の運転中は送風機３２が運転され、ダンパー部材８１Ａが冷気
ダクト３５の冷気通路を開くように動作している。
【００３８】
また、上記のように、扉１０の開閉に伴うクロスフローファン８０の運転において、ク
ロスフローファン８０が外気温度、即ち冷蔵庫１の周囲温度に応じて回転速度を変更する
手段を備えている。即ち、冷蔵庫１の周囲温度が高温度状態、例えば１８℃以上では、高
速運転状態をとる。この高速運転の回転速度は、例えば、１６００ｒｐｍである。また、
冷蔵庫１の周囲温度が中温度状態、例えば１０℃〜１８℃の範囲では、中速運転状態をと
る。この中速運転の回転速度は、例えば、１５００ｒｐｍである。また、冷蔵庫１の周囲
温度が低温度状態、例えば１０℃以下では、では、低速運転状態をとる。この低速運転の
回転速度は、例えば、１４００ｒｐｍである。
【００３９】
このように、冷蔵庫１の周囲温度が高くなるほどにクロスフローファン８０の回転速度
を上げることによって、冷蔵室３の前面開口部に強い均一な冷気カーテンを形成して、扉
１０が開いた状態での外気の侵入を抑制して冷蔵室３の温度上昇を少なくする。また、扉
１０を閉じたときには、送風機３２の運転と相俟って冷蔵室内の冷気循環量を多くして速
やかに貯蔵棚３８上の物品を冷却すると共に冷蔵室３の前面開口部の冷却促進を行うこと
ができる。
【００４０】
また、クロスフローファン８０は、冷蔵庫１を購入した人が初めて運転する場合や、長
期間に渡って運転を休止していて再運転する場合のような、所謂、プルダウン時には、扉
１０が閉じているときに所定時間、高速運転する。この回転速度は、例えば２０００ｒｐ
ｍである。これによって、プルダウン時の冷蔵室３内と貯蔵棚３８上の冷却を促進して、
速く所定の下限温度まで冷却するようにする。また、プルダウン時には、扉１０が閉じて
いるときに圧縮機２４が運転され、送風機３１、３２が運転されて冷蔵庫１内が冷却され
るが、通常は冷蔵室３が冷凍室よりも先に所定の下限温度に冷却されるため、送風機３２
が運転を停止する。更に圧縮機２４と送風機３１が運転されて、冷凍室内が所定温度にな
ると圧縮機２４と送風機３１が停止する。このため、プルダウン時には、送風機３２が運
転を停止するまでクロスフローファン８０を高速運転する方式でもよいし、また、この圧
縮機２４と送風機３１が停止するまでクロスフローファン８０を高速運転する方式でもよ
い。冷気カーテン３７の形成を良好にするために、クロスフローファン８０の運転中は送
風機３２が運転され、ダンパー部材８１Ａが冷気ダクト３５の冷気通路を開くよう動作し
ている。
【００４１】
また本発明は、冷気Ｋが通過する複数の通過孔を形成し紫外線によって冷気中の臭い分
子を分解して消臭する光触媒を有するフィルタ６０が紫外線を照射するランプ６３に対向
配置された脱臭装置を備え、ランプ６３の点灯によって殺菌消臭効果を発揮するものであ
る。この脱臭装置は、上記のようにクロスフローファン８０の運転時にランプ６３を点灯
することにより、脱臭・除菌を行っている。しかし、このように脱臭装置が動作しても、
使用者が臭いを気にする場合もある。このときは、冷蔵庫の使用者が扉１０を開いて冷蔵
室３の側壁に配置した操作部のクイック脱臭スイッチをＯＮすることにより、任意に脱臭
モードとすることができる仕組みである。このため、クイック脱臭スイッチをＯＮして脱
臭モードとすると、ランプ６３が点灯すると共に冷気吹き出し口３６に設けたクロスフロ
ーファン８０を運転状態（運転モード）とする。この場合、クイック脱臭スイッチをＯＮ
するために扉１０を開いているため、クロスフローファン８０は運転状態であり、クイッ
ク脱臭スイッチのＯＮによってランプ６３は点灯している。このため、冷蔵庫の扉１０を
閉じた後もクロスフローファン８０は運転され、ランプ６３は点灯している。このクイッ
ク脱臭モードは所定時間継続して終了する。この所定時間は、脱臭効果が得られるために
設定した数分間の時間であり、例えばクイック脱臭スイッチをＯＮしてから５分間継続し
た後、ランプ６３が消灯しクロスフローファン８０がＯＦＦしてクイック脱臭モードは終
了する。
【００４２】
このクイック脱臭動作中に冷蔵室３の前面開口部を開閉する扉１０が開いたときは、上
記同様に所定時間運転されるように構成されている。これは上記のように、例えば６５秒
間であり６０秒でも差し支えなく、数十秒であれば所期の目的は達成できる。冷気カーテ
ン３７の形成を良好にするために、クロスフローファン８０の運転中は送風機３２は運転
され、ダンパー部材８１が冷気ダクト３５の冷気通路を開くように動作している。そして
、再び扉１０が閉じたときに所定時間運転するものである。上記同様に、実施例では６０
秒間運転されるように設定している。これはその前後に時間であってもよく、数十秒であ
れば所期の目的は達成できる。冷気カーテン３７の形成を良好にするために、クロスフロ
ーファン８０の運転中は送風機３２は運転され、ダンパー部材８１Ａが冷気ダクト３５の
冷気通路を開くように動作している。
【産業上の利用可能性】
【００４３】
本発明は、冷蔵室の前面開口部に形成された冷気吹出口には、冷蔵室の前面開口部に沿
って冷気を下方に吹き出すようにクロスフローファンを設け、このクロスフローファンを
冷蔵室の前面開口部を開閉する扉が開いたとき及び閉じたときに所定時間運転されるもの
であるため、この技術範囲において種々の形態の冷蔵庫に適用できる。
【図面の簡単な説明】
【００４４】
【図１】本発明冷蔵庫の正面図である。
【図２】本発明冷蔵庫の縦断側面図である。
【図３】本発明の冷蔵庫本体を正面から見た説明図である。
【図４】本発明冷蔵庫のダクト構成部分の分解斜視図である。
【図５】本発明冷蔵庫の冷蔵室上部の冷気循環の説明図である。
【図６】本発明冷蔵庫の冷凍サイクル図である。
【符号の説明】
【００４５】
１・・・冷蔵庫
２・・・冷蔵庫本体
３・・・冷蔵室
４・・・野菜室
５・・・冷凍室
７・・・製氷室
１０・・冷蔵室扉
２４・・圧縮機
２９、３０・・冷却器
３１、３２・・送風機
３５・・冷蔵室上面部の冷気ダクト
３６・・冷気吹出口
３９・・冷気吹き出し口
６０・・フィルタ
６３・・ランプ
８０・・クロスフローファン
８１・・ダンパー装置
【図１】
2005076981.tif 000003
【図２】
2005076981.tif 000004
【図３】
2005076981.tif 000005
【図４】
2005076981.tif 000006
【図５】
2005076981.tif 000007
【図６】
2005076981.tif 000008